(57)【特許請求の範囲】
【請求項１】
予め設定された誤り訂正単位毎に制御情報を付加する形式で区分された旧デジタル情報が記録された情報記録媒体に対して、当該旧デジタル情報の一部を新デジタル情報で更新記録する情報記録方法であって、
前記新デジタル情報の更新記録を行う前に、当該新デジタル情報の情報量に基づいて、前記記録媒体上における更新するべき前記旧デジタル情報の最終更新位置を検出する最終更新位置検出工程と、
検出した前記最終更新位置に引き続いて記録されている旧デジタル情報を所定量だけ読取る情報読取工程と、
読取った所定量の前記旧デジタル情報を復号する第一復号工程と、
前記新デジタル情報の更新記録を行う際に、前記復号工程で復号した前記所定量の旧デジタル情報の少なくとも前記制御情報を含む一部の情報を、前記新デジタル情報の記録に引き続いて記録する記録工程と、
からなる情報記録方法。
【請求項２】
前記所定量は前記誤り訂正単位に相当するデータ量であって、前記記録工程は、前記所定量の旧デジタル情報のうちの少なくとも前記制御情報を含む一部の旧デジタル情報を記録することを特徴とする請求項１に記載の情報記録方法。
【請求項３】
前記記録工程は、前記情報読取工程で読み取った旧デジタル情報を誤り訂正復号する誤り訂正復号処理工程と、誤り訂正復号された旧デジタル情報を再度誤り訂正符号化する誤り訂正符号化工程とを含み、当該誤り訂正符号化された旧デジタル情報の一部を記録することを特徴とする請求項２に記載の情報記録方法。
【請求項４】
前記新デジタル情報の更新記録を行う前に、前記記録媒体上における当該新デジタル情報の更新を開始する更新開始位置に対して一の前記誤り訂正単位に相当する情報量だけ遡った位置から当該一の誤り訂正単位の旧デジタル情報を読取る第二の情報読取工程と、
読取った前記一の誤り訂正単位の旧デジタル情報を復号する第二復号工程と、
当該第二復号工程で復号した旧デジタル情報から少なくとも制御情報を含む一部の旧デジタル情報を除いた旧デジタル情報を、当該旧デジタル情報に対応する前記記録媒体上の記録位置に前記新デジタル情報の記録に先行して更新記録する第二の記録工程と、
をさらに備え、当該第二の記録工程で更新記録した前記旧デジタル情報に引き続いて前記新デジタル情報を記録することを特徴とする請求項１に記載の情報記録方法。
【発明の詳細な説明】
【０００１】
【発明の属する技術分野】
本発明は更新記録（以下、オーバライトと称する。）が可能な相変化光ディスク等の記録媒体に予め記録されている旧デジタル情報の一部を書き換える情報記録方法の技術分野に属する。
【０００２】
【従来の技術】
一般的に、光ディスク等の記録媒体に記録されるデジタル情報は、誤り訂正処理におけるＥＣＣ（Error Correcting Code）ブロック等の誤り訂正単位に相当する情報量で情報ブロックを構成し、各情報ブロックの先頭には各情報ブロックの記録媒体上のアドレス情報を担うＩＤ情報が付加されている。したがって、オーバライトが可能な記録媒体に既に記録されている情報の一部を、上記誤り訂正単位の新たな情報で書き換える場合、上記ＩＤ情報に基づいて、書き換えるべき旧デジタル情報の先頭位置を検索し、この先頭位置から上記誤り訂正単位で新デジタル情報のオーバライトが行われる。
【０００３】
ところで、光ディスク等の記録媒体は、通常、デジタル情報の記録／再生を行う光ピックアップとの間で所定の相対速度となるように、移動制御（光ディスクの場合は回転制御）が行われる。そして、デジタル情報は、上記所定の相対速度に同期した記録用クロックに基づいて記録媒体の所定位置に記録される。
【０００４】
しかしながら、記録すべきデジタル情報の情報量が上記所定の誤り訂正ブロックのＭ倍（Ｍは１以上の整数）の情報量であっても、上記光ディスクの回転制御の精度によっては上記情報量のデジタル情報を書換える際に、当該光ディスク上での位置精度を確保できず、書き換えるべき情報ブロックに連続する本来は書き換えるべきではない情報ブロックの一部（当該書き換えるべきではない情報ブロックの先頭部分）を書き換えてしまう虞れがある。情報ブロックの先頭部分には通常上述したアドレス情報や同期信号等のＩＤ情報が記録されている。これらＩＤ情報は記録再生装置の上記移動制御等を行なう際の制御情報として利用されるものであるから、書き換え動作によってＩＤ情報が破壊されると安定した記録再生制御が行えないという問題が発生する。
【０００５】
そこで、従来は、本来は書き換えるべきではない情報ブロック（つまり、書き換えるべき情報ブロックに引き続いて記録されている情報ブロック）の先頭部分にあるＩＤ情報が、書き換え動作によって破壊されることを防ぐために、かかる先頭部分にあるＩＤ情報と誤り訂正できる範囲内のダミーデータとを新たに生成し、この生成したＩＤ情報並びにダミーデータを上記記録すべき新デジタル情報に付加すると共に、更新記録における規則性を持たせるために、新デジタル情報の先頭の情報ブロックにおけるＩＤ情報並びに上記ダミーデータに対応する位置にある情報を除いた情報を新デジタル情報として、上記書き換えるべき情報ブロックの上記ＩＤ情報並びにダミーデータに対応する位置にある情報を除いた位置から更新記録することが行われていた。
【０００６】
つまり、従来の技術においては、本来は書き換えるべき情報ブロックの先頭部分を書き換えずに残すと共に、本来は書き換えるべきではない情報ブロックの先頭部分を新たに生成したＩＤ情報とダミーデータとで書き換えていた。
【０００７】
【発明が解決しようとする課題】
上記ダミーデータは情報ブロックにおける誤り訂正できる範囲内の情報量とされているので、誤り訂正を行うことにより元のデータを復元できるが、新デジタル情報と旧デジタル情報とが連接する部分にある情報ブロック（新デジタル情報の先頭のＥＣＣブロックと、新デジタル情報の最後尾のＥＣＣブロックに続く旧デジタル情報が記録されているＥＣＣブロック）には、ダミーデータ或いは旧デジタル情報、すなわち、本来その情報ブロックが備えるべきデータとは異なるデータが存在することになるため、かかる連接部分における情報ブロックの誤り訂正能力が低下するという問題があった。つまり、誤り訂正単位となる情報ブロックにおける訂正能力（例えば、誤り訂正可能なワード数）は予め決まっているため、はじめから誤りであるダミーデータ或いは旧デジタル情報が存在することにより、かかるダミーデータ或いは旧デジタル情報による誤りを訂正する分だけ、ディスク上の傷等によって生じた本来対象とするべき要因により発生する誤りを訂正できなくなるのである。
【０００８】
本発明は上記問題に鑑みて考えられたものであって、その目的はオーバライトする際に連接部分における情報ブロックのエラー訂正能力が低下することを低減することのできる情報記録方法を提供することにある。
【０００９】
上記課題を解決するためにこの発明は、予め設定された誤り訂正単位毎に制御情報を付加する形式で区分された旧デジタル情報が記録された情報記録媒体に対して、当該旧デジタル情報の一部を新デジタル情報で更新記録する情報記録方法であって、前記新デジタル情報の更新記録を行う前に、当該新デジタル情報の情報量に基づいて、前記記録媒体上における更新するべき前記旧デジタル情報の最終更新位置を検出する最終更新位置検出工程と、検出した前記最終更新位置に引き続いて記録されている旧デジタル情報を所定量だけ読取る情報読取工程と、読取った所定量の前記旧デジタル情報を復号する第一復号工程と、前記新デジタル情報の更新記録を行う際に、前記復号工程で復号した前記所定量の旧デジタル情報の少なくとも前記制御情報を含む一部の情報を、前記新デジタル情報の記録に引き続いて記録する記録工程と、からなる。
【００１０】
この発明によれば、最終更新位置検出工程において、新デジタル情報の更新記録を行う前に、更新するべき旧デジタル情報の最終更新位置が検出される。次いで、情報読取工程において最終更新位置に引き続いて記録されている旧デジタル情報が所定量読み取られる。そして、更新記録する際には、新デジタル情報の記録に引き続いて、上記情報読取工程で読み取った旧デジタル情報の少なくとも一部が記録される。
【００１１】
したがって、更新記録された後の新デジタル情報と旧デジタル情報との連接部分では、従来のごとき本来記録されているべき情報とは関係の無いダミーデータではなく、本来記録されているべき旧デジタル情報が再度記録されることになるので、かかる本来記録されているべき旧デジタル情報に基づいて誤り訂正符号化されている上記連接部分を含むＥＣＣブロックの誤り訂正能力が低下するという不具合を低減できる。
【００１２】
【発明の実施の形態】
次に本発明の好ましい実施の形態について図面を用いて説明する。なお、以下の説明は、相変化材料を用いた光ディスクに対してＤＶＤ（Digital Versatile Disc）の記録フォーマットでデジタル情報を書き換えることができるデジタル情報記録装置について本発明の情報記録方法を適用した実施の形態を説明するものである。
【００１３】
（Ｉ）記録フォーマットの実施の形態
始めに、ＤＶＤにデジタル情報を記録する際の一般的な物理フォーマット及び当該デジタル情報における誤り訂正処理について図１及び図２を用いて説明する。
まず、この実施の形態における誤り訂正単位としてのＥＣＣブロックについて図１を用いて説明する。
【００１４】
デジタル情報は、一般的に、図１（ａ）に示すデータセクタ２０を複数個含む物理的構造を成して構成されている。そして、一のデータセクタ２０中には、その先頭から、データセクタ２０の開始位置を示すＩＤ情報２１と、当該ＩＤ情報２１の誤りを訂正するためのＩＤ情報誤り訂正コード（ＩＥＣ（ID Data Error Correction Code））２２と、予備データ２３と、記録すべき主たるデータであるデータ２４と、データ２４におけるエラーを検出するためのエラー検出コード（ＥＤＣ（Error Detection Code））２５とにより構成され、このデータセクタ２０が複数連続することにより記録すべきデジタル情報が構成されている。
【００１５】
次に、このデータセクタ２０を用いてＥＣＣブロックを構成する際の処理を、図１（ｂ）を用いて説明する。データセクタ２０を用いてＥＣＣブロックを構成する際には、図１（ｂ）に示すように、始めに、一のデータセクタ２０を１７２バイト毎に分割し、分割した夫々のデータ（これを、以下、データブロック３３という。）を垂直方向に並べる（図１(b)-1参照）。このとき、垂直方向には１２行のデータブロック３３が並ぶこととなる。
【００１６】
そして、垂直方向に並べた夫々のデータブロック３３に対して１０バイトのＥＣＣ内符号（ＰＩ（Parity In）符号）３１を当該データブロック３３の最後に付加して一の訂正ブロック３４を構成する（図１(b)-2参照）。この段階では、ＥＣＣ内符号３１が付加された訂正ブロック３４が垂直方向に１２行並んでいることとなる。その後、この処理を１６のデータセクタ２０分だけ繰り返す。これにより、１９２行の訂正ブロック３４が得られる。
【００１７】
次に、上記の１９２行の訂正ブロック３４が垂直方向に並べられた状態で、今度は、当該１９２行の訂正ブロック３４を１バイト毎に最初から垂直方向に分割し、分割した夫々のデータに対して１６個のＥＣＣ外符号（ＰＯ（Parity Out）符号）３２を付加する。なお、当該ＥＣＣ外符号３２は、上記訂正ブロック３４のうち、ＥＣＣ内符号３１の部分に対しても付加される。
【００１８】
以上の処理により、１６のデータセクタ２０を含む一のＥＣＣブロック３０が図１(b)-2に示すように形成される。このとき、一のＥＣＣブロック３０内に含まれる情報の総量は、
（１７２＋１０）バイト×（１９２＋１６）行＝３７８５６バイト
であり、この内、実際のデータ２４は、
２０４８バイト×１６＝３２７６８バイト
となる。
【００１９】
また、図１(b)-2に示すＥＣＣブロック３０においては、１バイトのデータを「Ｄ＃．＊」で示している。例えば、「Ｄ1．０」は第１行第０列に配置されている１バイトのデータを示しており、「Ｄ１９０．１７０」は第１９０行第１７０列に配置されている１バイトのデータを示している。したがって、ＥＣＣ内符号３１は第１７２列乃至第１８１列に配置され、ＥＣＣ外符号３２は第１９２行乃至第２０７行に配置されることとなる。
【００２０】
さらに、一の訂正ブロック３４は光ディスク上には連続して記録される。ここで、図１(b)-2に示すように、ＥＣＣブロック３０をＥＣＣ内符号３１とＥＣＣ外符号３２の双方を含むように構成するのは、図１(b)-2における水平方向に並んでいるデータの訂正をＥＣＣ内符号３１で行い、図１(b)-2における垂直方向に並んでいるデータの訂正をＥＣＣ外符号３２で行うためである。すなわち、図１(b)-2で示すＥＣＣブロック３０内においては、水平方向と垂直方向の二重に誤り訂正することが可能となり、従来のＣＤ（Compact Disc）等に用いられている誤り訂正処理に比してより強力に誤り訂正ができるように構成されている。
【００２１】
この点についてよリ具体的には、例えば、一の訂正ブロック３４（上述のように、一行分のＥＣＣ内符号３１を含んで計１８２バイトのデータからなり、この１８２バイトのデータが連続して光ディスク上に記録される。）が全て光ディスクに生じた欠陥等により破壊されたとしても、それを垂直方向から見ると、一列のＥＣＣ外符号３２に対して１バイトのデータ破壊でしかない。したがって、夫々の列のＥＣＣ外符号３２を用いて誤り訂正を行えば、たとえ一の訂正ブロック３４の全てが破壊されていても、正しく誤り訂正を行って正確に再生することができるのである。
【００２２】
次に、図１(b)-2で示すＥＣＣブロック３０に構成されたデータセクタ２０が、具体的に光ディスクにどのように記録されるかについて、図２を用いて説明する。なお、図２において、「Ｄ＃．＊」で示されるデータは、図１(b)-2内に記述されているデータに対応している。
【００２３】
ＥＣＣブロック３０を光ディスクに記録する際には、始めに、図２の最上段に示すように、ＥＣＣブロック３０が訂正ブロック３４毎に水平方向に一列に並べられてインターリーブされることにより、１６のレコーディングセクタ４０に分割される。このとき、一のレコーディングセクタ４０は、２３６６バイト（３７８５６バイト／１６）の情報を含むこととなり、この中には、データセクタ２０とＥＣＣ内符号３１またはＥＣＣ外符号３２が混在している。但し、各レコーディングセクタ４０の先頭には、データセクタ２０におけるＩＤ情報２１（図１（ａ）参照）が配置される。
【００２４】
そして、一のレコーディングセクタ４０は９１バイト毎のデータ４１に分割され、夫々にヘッダＨが付加される。その後、この状態のレコーディングセクタ４０を８−１６変調することにより、夫々のデータ４１毎に一のシンクフレーム４２が形成される。このとき、一のシンクフレーム４２は、ヘッダＨ’とデータ４３とにより構成されている。また、一のシンクフレーム４２内の情報量は、
９１バイト×８×（１６／８）＝１４５６ビット
となり、このシンクフレーム４２が連続した形態で光ディスクに書き込まれる。このとき、一のレコーディングセクタ４０は、２６のシンクフレーム４２を含むこととなる。
【００２５】
以上説明した物理フォーマットを構成して光ディスクに情報を記録することにより、当該情報を再生する際に８−１６復調及びデインターリーブを行えば（図２参照）、もとのＥＣＣブロック３０を復元することができ、上記のように強力な誤り訂正を行って情報を正確に再生することができるのである。
【００２６】
（ＩＩ）デジタル情報記録装置の実施の形態
次に、図１及び図２を用いて説明した物理フォーマットでデジタル情報を光ディスクに記録するための本発明に係るデジタル情報記録装置の実施の形態について、図３乃至図５を用いて説明する。
始めに、本発明に係るデジタル情報記録装置の構成について、図３を用いて説明する。
【００２７】
図３に示す実施形態のデジタル情報記録装置Ｓにおいて、まず、ピックアップ２は、図示しないレーザダイオード、偏光ビームスプリッタ、対物レンズ、光検出器等を含み、レーザ駆動信号ＳDLに基づいた光パワーの光ビームＢを光ディスク１の記録面上に照射して新デジタル情報の記録を行うと共に、光ビームＢの光ディスク１からの反射光に基づいて既に記録されている旧デジタル情報を検出する。
【００２８】
再生増幅器３は、ピックアップ２から出力された既に記録されている旧デジタル情報に対応する情報を含む検出信号ＳDTを、それ以降の信号処理をする上で取り扱いやすい信号レベルにまで増幅した増幅信号Ｓpを生成し、これをデコーダ４に出力する。
【００２９】
デコーダ４は、増幅信号Ｓpに対して８−１６復調及びデインターリーブ並びに誤り訂正復号を施すことにより当該増幅信号Ｓpをデコードし、復調信号ＳDMをプロセッサ７に出力すると共にサーボ復調信号ＳSDをサーボ回路６に出力する。
【００３０】
サーボ回路６は、供給されたサーボ復調信号ＳSDに基づいて、ピックアップ２におけるフォーカスサーボ制御及びトラッキングサーボ制御のためのピックアップサーボ信号Ｓspを出力すると共に、光ディスク１を回転させるためのスピンドルモータ６の回転をサーボ制御するスピンドルサーボ信号Ｓssを出力する。
【００３１】
これらと並行して、プロセッサ７は、外部から入力される記録すべき新デジタル情報に対応した記録情報信号ＳRをメモリ８に記憶して、後述する記録処理を施した後エンコーダ９に出力すると共に、復調信号ＳDMに基づいて、既に記録されている旧デジタル情報に対応する再生信号ＳOTを外部に出力する。
【００３２】
エンコーダ９はプロセッサ７からの制御信号に応じて、メモリ８に記憶された記録情報信号ＳRに対してＥＣＣ内符号３１及びＥＣＣ外符号３２を付加することによって誤り訂正符号化してＥＣＣブロック３０を構成すると共に、当該ＥＣＣブロック３０に対してインターリーブ及び８−１６変調を施してエンコード信号ＳREを生成し、かかるエンコード信号ＳREをパワー制御回路１１に出力する。
【００３３】
そして、パワー制御回路１１は、エンコード信号ＳREに基づいてピックアップ２内の図示しないレーザダイオードの出力を制御するための駆動信号ＳDを出力する。
【００３４】
その後、レーザ駆動回路１２は、駆動信号ＳDに基づいて、実際に上記レーザダイオードを駆動して光ビームＢを出射させるためのレーザ駆動信号ＳDLを出力する。
【００３５】
なお、上記の情報記録装置Ｓは、光ディスク１に記録されている情報を再生することも可能であり、その際には、復調信号ＳDMに基づいてプロセッサ７を介して再生信号ＳOTが外部に出力されることとなる。
【００３６】
次に、本発明に係るデジタル情報のオーバライトの記録処理動作について図４及び図５を用いて説明する。
【００３７】
なお、この実施形態では、光ディスク１上には旧デジタル情報（以下、旧データという。）としてａ-N乃至ａN ＥＣＣブロックが記録されており、このうち、ａ1乃至ａn ＥＣＣブロックを新デジタル情報（以下、新データという。）であるｂ1 ＥＣＣブロック乃至ｂn ＥＣＣブロックでオーバライトする例を述べる。また、光ディスク１に記録すべき新データは既に外部から供給されておりメモリ８に記憶されているものとする。
【００３８】
ここで、ｎは新データｂをＥＣＣブロック単位で区分することによって得られる数値であり、１以上の整数として与えられる。但し、新データｂのデータ量は必ずしもＥＣＣブロック単位の整数倍のデータ量とは限らないので、新データｂのデータ量がＥＣＣブロック単位の整数倍ではない場合には、新データｂをＥＣＣブロック単位で区分した際の最終ブロックにおける残りの部分を０データでパディング（穴埋め）し、見掛け上ＥＣＣブロック単位のデータブロックとなるように調整するものとする。例えば、新データｂをＥＣＣブロック単位のデータ量で割り算した際、商がｎ−１で余りがｅの場合、新データのＥＣＣデータブロック数としてはｎ個となり、ｎ番目のＥＣＣブロックの実質的な新データ量はｅであって残りは０データでパディングされたものとなる。なお、Ｎはｎ以上の自然数である。
【００３９】
まず、図示しない操作部を介して、旧データであるａ1 ＥＣＣブロックからのオーバライト指令がなされると、プロセッサ７は、メモリ８に記憶した新データｂの全データ量がＥＣＣブロック単位のデータ量（３２７６８バイト）の何倍に相当するかを演算（除算）し、商ｄと余りｅとを求める（ステップＳ１）。
【００４０】
次いで、ステップＳ２に移行して、ステップＳ１で求めた余りｅが０か否かを判定し、余りｅが０の場合、つまり、新データのデータ量が丁度ＥＣＣデータブロックの整数倍である場合には（ステップＳ２；ｙｅｓ）、上記商ｄを新データのデータブロック数ｎとした後（ステップＳ３）、ステップＳ６に移行する。
【００４１】
一方、ステップＳ２で余りｅが０でないと判定した場合には（ステップＳ２；ｎｏ）、上記商ｄに１を加算した値（ｄ＋１）を新データｂのデータブロック数ｎとする（ステップＳ４）。そして、新データｂのデータ量がＥＣＣデータブロック単位のｎ倍と等しくなるまで０データをメモリ１５に追加記憶、つまり、パディング処理し（ステップＳ５）、その後ステップＳ６に移行する。
【００４２】
次に、プロセッサ７は、更新するべき旧データの先頭ブロック（この例ではａ1 ＥＣＣブロック）から記録方向に対して遡った方向にある一のＥＣＣブロック、すなわちａ0 ＥＣＣブロックの先頭位置にピックアップを移送する（ステップＳ６）。そして、かかる先頭位置からａ0 ＥＣＣブロックの一ＥＣＣブロック分の旧データを全て読取ってデコーダ４によって復号（８−１６復調、デインターリーブ、誤り訂正復号）した後、かかる復号した旧データが新データｂの前段に付加されるように、メモリ８に記憶する（ステップＳ７）。
【００４３】
次に、プロセッサ７は、上記ステップＳ３又はステップＳ４で得たブロック数ｎに基づいて、更新記録するべき旧データの最終更新位置、すなわち、ａn ＥＣＣブロックの最終記録位置（これはａn+1 ＥＣＣブロックの先頭位置でもある。）をもとめ、かかる最終記録位置にピックアップを移送する（ステップS８）。そして、かかる最終記録位置に引き続いて記録されているａn+1 ＥＣＣブロックの一ＥＣＣブロック分の旧データを全て読取ってデコーダ４によって復号した後、かかる復号した旧データを、新データｂを記憶するメモリ８に当該新データｂに続けて（ステップＳ５において０データを追加記憶した場合には、かかる０データに続けて）記憶する（ステップＳ９）。
【００４４】
次いで、プロセッサ７は、エンコーダ９に、メモリ８に記憶した全データ（ステップＳ７で記憶したａ0 ＥＣＣブロックの旧データ、ブロック数ｎの新データｂ及びステップＳ９で記憶したａn+1 ＥＣＣブロックの旧データ）を供給し、ＥＣＣエンコード（誤り訂正符号化)、つまり、ＥＣＣ内符号３１及びＥＣＣ外符号３２を付加してＥＣＣデータブロックを構成すると共にインタリーブ及び８−１６変調を施し、かかるエンコードの施されたデータのうち、ａ0 ＥＣＣブロックのＩＤ情報を含む先頭部分（この実施形態では図２に示す第２シンクフレームの８６バイト分までであって、データ量としては１７７バイトとなる。）を除いた部分、すなわち、第２シンクフレームの８７バイト目以降のデータと、新データｂに相当するｎ個のＥＣＣブロック（ｂ1 ＥＣＣブロック乃至ｂn ＥＣＣブロック）と、ａn+1 ＥＣＣブロックのＩＤ情報を含む上記先頭部分に相当するデータ、すなわち、第２シンクフレームの８６バイト分までのデータとを、エンコーダ９内のバッファメモリ１０に記憶する（ステップＳ１０）。
【００４５】
次いで、プロセッサ７は、オーバライトするべき旧データの先頭位置、つまり、この例ではａ0 ＥＣＣブロックの８７バイト目の位置にピックアップを移送し（ステップＳ１１）、かかる位置から上記ステップＳ１０でエンコーダ９内のバッファメモリ１０に記憶せしめたデータで更新記録するべく、エンコーダ９、パワー制御回路１１、レーザ駆動回路１２に対する記録動作制御を行う（ステップＳ１２）。かかる動作制御は、エンコーダ９の内部メモリ１０に記憶した全てのデータの記録が終了するまで継続して行う（ステップS１３）。
【００４６】
以上の動作により、図５に示す通り、本来更新記録するべき旧データＡのａ1乃至ａn ＥＣＣブロックが、新データｂで更新記録されると共に、かかる更新記録するべき旧データに先行する本来は記録するべきではない旧データ（ａ0 ＥＣＣブロックにおいて最初に現れるＥＣＣ内符号３１の６バイト目以降のデータ）が上記ステップＳ８で新たにエンコードし直した旧データ（データ内容は更新記録する前と同じものとなる。）で更新記録されると共に、新データｂに続く本来は更新記録するべきではない旧データであるａn+1 ＥＣＣブロックの先頭部分（ＩＤ情報を含む１７７バイト分、つまり、ａn+1 ＥＣＣブロックにおいて最初に現われるＥＣＣ内符号３１の５バイト分まで）が上記ステップS１０で新たにエンコードし直された旧データ（データ内容は更新記録する前と同じものとなる。）で更新記録されるのである。
【００４７】
したがって、更新記録する際の連接部分（すなわち、ａ0 ＥＣＣブロックとａn+1 ＥＣＣブロック）では、本来記録されているべき旧データが再度記録されることになり、かかる本来記録されているべき旧データに基づいて誤り訂正符号化されている上記連接部分におけるＥＣＣブロックの誤り訂正能力が低下するという不具合を低減できる。
【００４８】
なお、上記実施形態では、再度記録される旧データ（ａ0 ＥＣＣブロック及びａn+1 ＥＣＣブロック）は、各ＥＣＣブロックの最初に現われるＥＣＣ内符号３１の途中（５バイト分）が起点或いは終点となるように記録される。この際、情報記録装置Sにおけるスピンドルサーボ等の時間軸制御の精度によっては、各ＥＣＣブロックにおける更新記録されない旧データとの繋ぎ目が一致しない、つまり、更新記録することにより更新するべきでない旧データの一部が破壊される畏れがあるが、かかる破壊される畏れのある繋ぎ目はＥＣＣ内符号、すなわち、いわゆる冗長データが記録される領域であるから、かかる領域において更新記録に伴うデータの破壊が発生したとしても、本発明によって本来記録したいデータ（図１のデータブロック３３に相当するデータ）の確からしさは向上できるので、従来のデータブロック３３に相当するデータとしてダミーデータを記録する方法に比べれば少なくともデータブロック３３内におけるＥＣＣ外符号方向の誤り訂正能力が低下するという不具合は低減できる。
【００４９】
また、上記実施形態では、再度記録される旧データ（本来は更新記録するべきではない旧データであるａn+1 ＥＣＣブロック）を、ステップＳ９で光ディスク１から読み取りメモリ８に新データｂに加えて記憶した後、ステップＳ１０でかかる記憶したデータをエンコード処理して光ディスク１に記録する例を述べたが、ステップS９で読み取られ再生増幅器３から出力されたデコード処理される前の旧データ、つまり、ａn+1 ＥＣＣブロックのＲＦ信号として供給される８−１６変調されたままの状態の増幅信号Ｓpをエンコーダ９の内部メモリ１０あるいは専用のメモリに記憶しておき、エンコード処理された新データｂの光ディスク１への記録後に引き続いて上記記憶した増幅信号Ｓpを記録するように構成しても同様の効果が期待できる。この場合、ステップS９ではａn+1 ＥＣＣブロックの全ての旧データを読み取る必要は無く、ａn+1 ＥＣＣブロックの最初に現われるＥＣＣ内符号の途中（５バイト分）に相当する情報量だけ読み取ればよい。
【００５０】
【発明の効果】
以上説明したように、本発明は、
予め設定された誤り訂正単位毎に制御情報を付加する形式で区分された旧デジタル情報が記録された情報記録媒体に対して、当該旧デジタル情報の一部を新デジタル情報で更新記録する情報記録方法であって、前記新デジタル情報の更新記録を行う前に、当該新デジタル情報の情報量に基づいて、前記記録媒体上における更新するべき前記旧デジタル情報の最終更新位置を検出する最終更新位置検出工程と、検出した前記最終更新位置に引き続いて記録されている旧デジタル情報を所定量だけ読取る情報読取工程と、読取った所定量の前記旧デジタル情報を復号する第一復号工程と、前記新デジタル情報の更新記録を行う際に、前記復号工程で復号した前記所定量の旧デジタル情報の少なくとも前記制御情報を含む一部の情報を、前記新デジタル情報の記録に引き続いて記録する記録工程と、からなるので、更新記録された後の新データｂと旧データａとの連接部分（すなわち、ａ0 ＥＣＣブロック及びａn+1 ＥＣＣブロック）では、本来記録されているべき旧データが再度記録されることになり、かかる本来記録されているべき旧データに基づいて誤り訂正符号化されている上記連接部分におけるＥＣＣブロックの誤り訂正能力が低下するという不具合を低減できて好ましい。
【図面の簡単な説明】
【図１】  実施形態野記録情報に置けるＥＣＣブロックの構造を示す図であり、（ａ）は記録情報のデータ構造を示す図であり、（ｂ）はＥＣＣブロックの構造を示す図である。
【図２】  実施形態の記録情報の物理フォーマットを示す図である。
【図３】  情報記録装置の概要構成を示す図である。
【図４】  情報記録動作の処理を示すフローチャートである。
【図５】  情報記録動作の処理による記録情報の記録状態を示す図である。
【符号の説明】
１・・・光ディスク
２・・・ピックアップ
３・・・再生増幅器
４・・・デコーダ
５・・・スピンドルモータ
６・・・サーボ回路
７・・・プロセッサ
８・・・メモリ
９・・・エンコーダ
１０・・・内部メモリ
１１・・・パワー制御回路
１２・・・レーザ駆動回路
２０・・・データセクタ
２１・・・ＩＤ情報
２２・・・ＩＤ情報誤り訂正コード
２３・・・予備データ
２４、４１、４３・・・データ
２５・・・エラー検出コード
３０・・・ＥＣＣブロック
３１・・・ＥＣＣ内符号
３２・・・ＥＣＣ外符号
３３・・・データブロック
３４・・・訂正ブロック
４０・・・レコーディングセクタ
４２・・・シンクフレーム
B・・・光ビーム
H、H’・・・ヘッダ
ＳR・・・記録情報信号
ＳRE・・・エンコード信号
ＳD・・・駆動信号
ＳDL・・・レーザ駆動信号
ＳDT・・・検出信号
ＳP・・・増幅信号
ＳDM・・・復調信号
ＳSD・・・サーボ復調信号
ＳSP・・・ピックアップサーボ信号
ＳSS・・・スピンドルサーボ信号
【図１】
0004066289.tif 000002
【図２】
0004066289.tif 000003
【図３】
0004066289.tif 000004
【図４】
0004066289.tif 000005
【図５】
0004066289.tif 000006